【手続補正書】
【提出日】平成17年3月30日(2005.3.30)
【手続補正１】
【補正対象書類名】明細書
【補正対象項目名】全文
【補正方法】変更
【補正の内容】
【書類名】          明細書
【発明の名称】      田植機
【特許請求の範囲】
【請求項１】  前後にステアリングハンドル（２０）と座席（１３）とを備える走行車体（１）に苗植装置（２）を装着し、機体の前部に予備苗載装置（４４）を設けた田植機において、前記予備苗載装置（４４）は、前後一対のリンク（４８ａ，４８ｂ）の揺動で同じ姿勢を保って前後に移動する移動杆（４７）及び支杆（５３）を介して苗が載る棚（５４）を設けた構成とし、ピン（５０）を引いて前記リンク（４８ａ，４８ｂ）を前に倒すことにより前記棚（５４）が前に移動しながら下降する構成とした田植機。
【発明の詳細な説明】
【０００１】
【発明の属する技術分野】
この発明は、田植機に用いられるものである。
【０００２】
【従来の技術及び発明が解決しようとする課題】
田植機の前部を畔に直交させて近寄せて予備苗載装置の棚に予備の苗を補充するとき、その補充を容易に行えるようにすることを課題とする。
【０００３】
【課題を解決するための手段】
上記の課題を解決するため、この発明は、前後にステアリングハンドル２０と座席１３とを備える走行車体１に苗植装置２を装着し、機体の前部に予備苗載装置４４を設けた田植機において、前記予備苗載装置４４は、前後一対のリンク４８ａ，４８ｂの揺動で同じ姿勢を保って前後に移動する移動杆４７及び支杆５３を介して苗が載る棚５４を設けた構成とし、ピン５０を引いて前記リンク４８ａ，４８ｂを前に倒すことにより前記棚５４が前に移動しながら下降する構成とした田植機とした。
【０００４】
【発明の実施の形態】
つぎに、この発明の実施例を説明する。
走行車体１に苗植装置２が装着されて田植機となっている（図１、図２）。
【０００５】
走行車体１がつぎのように構成されている。フレーム３の前後に主歯車箱４と後輪歯車箱５が設けられている。主歯車箱４から左右に突出したスリーブの外端に前輪歯車箱６が縦軸回りに回動するように取付けられ、それぞれの外側に前輪７が設けられている。一対の後輪８が後輪歯車箱５の両横に設けられている。フロア９が主歯車箱４とフレーム３の上に設けられてこれらで機台１０が構成されている。フロア９の後部がＵ次装に切り欠がれ、フレーム３に取付けた水冷式のエンジン（ジーゼルエンジンを含む。）１１の上部がその切り欠ぎから上に突出し、その上部を被った箱形のエンジンカバー１２の上に座席１３が設けられている。
【０００６】
エンジン１１は、クランク軸などの出力軸１４が走行車体１の前進方向に直交する方向で横向きに取付けられ、その動力がベルト１５で油圧式変速機（ＨＳＴ）１６に達したのち、ベルト１７で主歯車箱４内の主軸１８に伝わっている。その動力は、主歯車箱４内の変速機で作業速と路上走行速のいずれかに選択されて前輪７と後輪８に伝わり、これらの回転で走行車体１が進行するように出来ている。
【０００７】
ハンドルポスト１９が主歯車箱４からフロア９を通って上に伸び、その突端のステアリングハンドル２０を操作すると、ステアリングシャフト２１が主歯車箱４の下のアーム２２を揺動するようになっている。なお、ステアリングシャフト２１は、上下に分割されて中間が軸継手で接続されている。左右の前輪歯車箱６のアーム６ａと前記のアーム２２がロッド２３で連結され、ステアリングハンドル２０の上記の操作で左右の前輪７が操縦されて、走行車体１の進路が変わるように出来ている。
【０００８】
前面が後に倒れたフロントカバー２４でハンドルポスト１９の前部が被われ、その上にメータパネル２４ａが取付けられている。上下のタンク間に熱交換器が設けられたラジエータ２５が、後倒れに傾斜した姿勢でフロントカバー２４内の前部に取付けられている。上下のタンクとエンジン１１のウォータジャケットがホースで連結されて、ウォータジャケット内の冷却水が循環されるようになっている。モータ２６で回転されるファン２７が熱交換器の後に配置され、シリンダやヘッドなどで加熱された冷却水が熱交換器内を下に向って流れる間に、ファン２７で発生した風が熱交換器を前後方向に通り抜けて冷却され、シリンダやヘッドなどの冷却に再度用いるようになっている。
【０００９】
すなわち、水冷式のエンジン１１を座席１３の下に搭載すると（図１、図３）、前方に搭載したものに比較して騒音が低下する。
そのラジエータ２５を機台１０の前部に配置すると、座席１３の周辺のスペースが広くなって作業性が向上するとともに、冷却効果が拡大する。併せて、前後方向の重量バランスが改善される。
【００１０】
図３のように、水冷式のエンジン１１を座席１３の下に搭載し、そのラジエータ２５Ａをエンジン１１の後に配置すると、オペレータが冷却用の熱風を受けないので、居住性が向上する。また、送風機付の施肥装置を田植装置２に併設するようなとき、上記の熱風を容易に吸入させて肥料づまりを解消することができる。また、この構成によると、重いエンジン１１が軽いラジエータ２５Ａよりも前に配置されるので、重量の前後バランスが大きく崩れるおそれが軽減される。
【００１１】
そのラジエータ２５Ａを後倒れに傾斜させると、風の流れが向上して冷却効果が向上する。
そのエンジン１１を、出力軸１４を図３のように横向にして搭載するとともに、ラジエータ２５Ａをその後に配置すると、エンジン１１関連の横巾が狭くなってフロア９が広がり、作業性が向上する。
【００１２】
支柱２８がフレーム３の後部から上に伸び、これと後の昇降枠２９が一対のリンク３０で連結されている。油圧シリンダ３１の前部がフレーム３に取付けられ、斜後上に突出したピストンロッドの突端が上のリンク３０と一体のアーム３２に接続している。ファン２６の後にオイルタンク３３が配置され（図１）、その中のオイルがポンプで油圧シリンダ３１の前部に供給されると、ピストンロッドが突出して昇降枠２９が上昇し、そのオイルがオイルタンク３３に戻ると、昇降枠２９が下降するように出来ている。その作動でオイルが加熱すると、ファン２６で吹き出される（又は吸い込まれる）風で冷却される。なお、ステアリングを油圧式のパワーステアリングに構成してその作動にオイルタンク３３内のオイルを用いることができる。また、ＨＳＴ１６にオイルタンク３３内のオイルを補充することができる。
【００１３】
苗植装置２がつぎのように構成されている。歯車箱３４が昇降枠２９の下部にローリング軸で揺動自在に取付けられている。３本の植込フレーム３５が歯車箱３４から後に伸び、それぞれの後部の両横に小判形の回転ケース３６が設けられている。一対の植込杆３７がそれぞれの回転ケース３６に取付けられて６条植えになっている。そして、エンジン１１の動力で回転ケース３６が左から見て反時計方向に回転すると、植込杆３７がその中の遊星歯車で同じような姿勢を保って旋回する。
【００１４】
苗受板３８が植込フレーム３５に固定され、それぞれの苗取口３８ａを、上記の一対の植込杆３７の先端が、その旋回の下降の初期に交互に通過するようになっている。
一対の支柱３９が左右の植込フレーム３５の前部から斜前上に伸び、その上部と苗受板３８の前部で苗載台４０が左右に移動するように支持されている。苗載台４０は、左右の側壁の間が隔壁で６個に区隔され、集団苗が後端を苗受板３８上に突出させてそれぞれの区隔に載る。その集団苗は、苗載台４０とともにエンジン１１の動力で左右に往復駆動される。そのため、その横移動で集団苗の後端部が苗取口３８ａ上に来ると、植込杆３７の先端で一株分が欠ぎ取られる。欠がれた苗は、植込杆３７とともに下降し、旋回の下端で泥土に移植される。ベルトコンベア４１がそれぞれの区隔に設けられ、集団苗の後端部の横端の欠ぎ取りが終了すると、作動して集団苗を苗受板３３側に繰り出すように出来ている。そののち、苗載台４０が逆方向に移動する。
【００１５】
フロート４２がそれぞれの植込フレーム３５の下に配置され、走行車体１の前進で泥面を滑走するようになっている。フロート４２は、前部が左右に突出し、上記の滑走で、それぞれの突出部が、苗が移植される泥面を予じめ整地するように出来ている。
なお、図の苗植装置２は、施肥装置４３付に構成され、移植される苗の横で泥土内に肥料が散布されるようになっている。予備苗載装置４４が機体１０の前部の両横に設けられている。左右対称のため、以下は、その左側について説明する。
【００１６】
図３のように、主歯車箱４に固定された支柱４５が前輪７の上を通って外に張り出したのち、上に伸びている。支持杆４６が支柱４５から前方に突出し、その上に移動杆４７が平行に配置されている。移動杆４７と支持杆４６および移動杆４７と支柱４５が前後一対の平行なリンク４８ａ，４８ｂで連結されて、リンク４８ａ，４８ｂの揺動で移動杆４７が同じ姿勢を保って前後に移動するようになっている。なお、ストッパ４９と出没するピン５０が支柱４５に設けられ、リンク４８ｂを両者で挟んで垂直姿勢を保ち、ピン５０を引くと、リンク４８ｂが前に倒れて移動杆４７が前に移動する。
【００１７】
回動杆５１が移動杆４７上に配置され、その後部が縦軸５２（図２）の回りに回動するように取付けられている。２本の支杆５３が回動杆５１から上に伸びている。板の前後および外側の端が上に折り曲って、３０ｃｍ×６０ｃｍ程度の集団苗（又は苗箱）が載る棚５４となり、その３枚が支杆５３に上下に固定されている。
【００１８】
この構成によると、田植機の前部を畔に直交させて近寄せて、それぞれの棚５４に予備の集団苗を補充するとき、ピン５０を引いてリンク４８ａ，４８ｂを前に倒すと、その棚５４が前に移動しながら下降するので、上記の補充が容易に行なわれる。
また、棚５４上の集団苗を苗載台４０に移すとき、回動杆５１を縦軸５２の回りに回して図２の鎖線のように傾斜させると、支杆５３が集団苗の取り出しの邪魔にならないで、その移し変えが容易に行なわれる。
【００１９】
【効果】
以上のように、この発明によると、田植機の前部を畔に直交させて近寄せて機体の前部に設けた予備苗載装置４４の棚５４に予備の苗を補充するとき、ピン５０を引いて前後一対のリンク４８ａ，４８ｂを前に倒して移動杆４７を同じ姿勢を保って前に移動させると、前記棚５４が前に移動しながら下降するので、予備の苗の補充が容易に行える。
【図面の簡単な説明】
【図１】田植機の予備苗載装置の一部を削除した側面図
【図２】その平面図
【図３】他の田植機の側面図
【符号の説明】
１：走行車体、２：苗植装置、１３：座席、２０：ステアリングハンドル、４４：予備苗載装置、４７：移動杆、４８ａ，４８ｂ：リンク、５０：ピン、５３：支杆、５４：棚